(57)【特許請求の範囲】
【請求項１】
文字板と、この文字板上に略平行に付設された透明材料よりなる指針と、一つ光源からの照明光を指針の受光面に導く導光板と、を含む指針照明装置において、
一つの光源でも振れ角の広い計器指針を均一に発光させることができるように、指針の受光面の回転軌道に沿って配された導光板の端部に、前記光源からの光を前記受光面方向に反射するように傾斜するとともに光軸方向に沿って配列し、かつ、前記導光板の厚み方向に光源から離れるにしたがって受光面に近づくように高さ位置を変えた複数個に分割した平面状反射面を導光板の厚み方向に断面鋸歯状に設け、前記複数個の平面状反射面が導光板の端部の貫通孔の前後並びに貫通孔にまたがって設けられるとともに、前記複数個の平面状反射面のうち、光源に最も近く配列した平面状反射面の面積が最小に形成されていることを特徴とする指針照明装置。
【発明の詳細な説明】
【０００１】
【発明の属する技術分野】
本発明は、車両、航空機、船舶等の計器に取り付けられる指針照明装置に係り、特に、計器の指針内部に、その回動指示範囲において、平均的に光線を導き、均一でむらのない照明を行う自発光式の指針照明装置に関する。
【０００２】
【従来の技術】
従来、車両、航空機、船舶等においては、速度、エンジン回転数、走行距離、残存燃料量等の計測値を表示する計器が多数搭載されているが、これらの計器としてアナログ式のものが多く使用されており、これらの中に自発光式の指針照明装置が付設されたものがある。
【０００３】
図４は、従来の自発光式の指針照明装置を示し、（ａ）は、その要部断面図説明図であり、（ｂ）は、その反射面の平面図である。図５は、他の従来の自発光式の指針照明装置の導光板の形状を示す平面図である。
【０００４】
図４及び図５を用いて従来の自発光式の指針照明装置を説明する。
【０００５】
図４において、５は、透光性基板の表面に目盛、文字等が印刷された文字板である。この文字板５上には、透明材料で形成された指針３が、内機（図示せず）から文字板５の中程に貫通孔６を通して立設する指針軸２の先端に文字版５と略平行に付設されている。この指針３の基部３ａには、受光面３ｂから受光した光線を指針先端側へ反射する反射面３ｃが形成されている。
【０００６】
文字板５に形成された貫通孔６は、文字板の端部にそれぞれ対象に配置された２つの光源（図示せず）と指針軸２とを結ぶ光軸と直行する辺と平行する辺からなる角状孔として形成され、上記光軸と直行する辺と連なる内周壁にして光源からの光線入光側に文字板５の表面から裏面にかけて好適には４５度の傾斜角を有する第１の反射面５ａ、５ｂがそれぞれ形成され、且つ、上記貫通光６の両側壁上部中央より文字板５の裏面にかけて、上記第１の反射面５ａ、５ｂと同一方向に同様に４５度の傾斜角を有する第２の反射面５ｃ、５ｄが形成されている。
【０００７】
上記図４の従来例の構成によれば、２つの光源からそれぞれ別々に文字板５内に導入した光線の内、指針軸２と結ぶ光線軸方向の光線は、第１の反射面５ａ、５ｂにより反射して指針３内に入光し、また、貫通孔６の測方の光線は、第２の反射面５ｃ、５ｄにより反射して指針３内に入光するため、貫通孔６の周辺に入光した光線は、文字板５の厚み方向及び指針基部３ａの投影幅においてほとんど損失されることなく極めて効率的に指針３の照明光として利用できる。
【０００８】
また、図５において、１４は、導光板である。導光板１４は、文字板（図示せず）の背後に配されている。指針基部１３ａの下方に位置する導光板１４の端部には、光源１８の側に向かって同一方向に傾斜する複数個に分割した指針基部受光面１３ｂの回転軌道に沿う階段状の平面状反射面１４ａ、１４ｂ、１４ｃ、１４ｄが設けられている。
【０００９】
上記図４の従来例の構成によれば、光源１８からの照明光は、導光板１４内を導光し、階段状に形成された各反射面１４ａ、１４ｂ、１４ｃ、１４ｄにより指針３の受光面１３ｂの回転軌道領域に反射されるため、指針１３内には、指針位置に関係なく常に平均した光量が入光し、回動指示範囲内でほとんどむらのない均一な照明がなされる。
【００１０】
【発明が解決しようとする課題】
図４に示される従来の自発光式の指針照明装置においては、指針を均一に発光させることができるが、２つの光源を必要とするという問題があり、また、図５に示される従来の自発光式の指針照明装置においても指針を均一に発光させることができるが、ゲージ等の指針の振れ角の狭いものに対して有効であっても、自動車のスピードメーター、運行記録計等の指針の振れ角の広いものに対しては使用できない、という問題があった。
【００１１】
本発明は、かかる問題を解決することを目的としている。
即ち、本発明は、１つの光源で振れ角の広い計器指針を均一に発光させる自己発光式の指針照明装置を提供することを目的とする。
【００１２】
【課題を解決するための手段】
本発明は、上記目的を達成するために、文字板と、この文字板上に略平行に付設された透明材料よりなる指針と、一つ光源からの照明光を指針の受光面に導く導光板と、を含む指針照明装置において、一つの光源でも振れ角の広い計器指針を均一に発光させることができるように、指針の受光面の回転軌道に沿って配された導光板の端部に、前記光源からの光を前記受光面方向に反射するように傾斜するとともに光軸方向に沿って配列し、かつ、前記導光板の厚み方向に光源から離れるにしたがって受光面に近づくように高さ位置を変えた複数個に分割した平面状反射面を導光板の厚み方向に断面鋸歯状に設け、前記複数個の平面状反射面が導光板の端部の貫通孔の前後並びに貫通孔にまたがって設けられるとともに、前記複数個の平面状反射面のうち、光源に最も近く配列した平面状反射面の面積が最小に形成されていることを特徴としている。
【００１３】
【発明の実施の形態】
以下、本発明の実施の形態を図面に基づいて説明する。
【００１４】
図１は、本発明の一実施の形態を示す指針照明装置の断面図であり、図２は、導光板の形状を示す平面図であり、そして、図３は、図２のＡ−Ａ線の断面説明図（軸孔部分図示せず）である。
【００１５】
本発明の指針照明装置は、透明材料で形成された文字板２５と、文字板２５の上に略平行に付設された透明材料で形成されて指針２３と、文字版２５の背面に配設された導光板２４とを有している。
【００１６】
指針２３の受光面２３ｂの回転軌道に沿って配された導光板２４の端部には、光源２８に向かって同一方向に傾斜する３個に分割した平面状反射面２４−１ａ、２４−１ｂ及び２４−１ｃが、導光板２４の端部の貫通孔２６の前後並びに貫通孔２６にまたがって導光板２４の厚み方向に断面鋸歯状に設けられている。
より詳細に説明すれば、図２及び図３に示されて明らかなように、一つの光源２８でも振れ角の広い計器指針を均一に発光させることができるように、指針の受光面２３ｂの回転軌道に沿って配された導光板２４の端部に、前記光源からの光を前記受光面方向に反射するように傾斜するとともに光軸方向に沿って配列し、かつ、前記導光板の厚み方向に光源から離れるにしたがって受光面に近づくように高さ位置を変えた３個に分割した平面状反射面２４−１ａ、２４−１ｂ及び２４−１ｃを導光板の厚み方向に断面鋸歯状に設け、前記平面状反射面が導光板の端部の貫通孔２６の前後並びに貫通孔にまたがって設けられるとともに、前記平面状反射面のうち、光源に最も近く配列した平面状反射面２４−１ａの面積が最小に形成されている。
【００１７】
平面状反射面２４−１ａ、２４−１ｂ及び２４−１ｃの上方には、指針基部２３ａにより接近して該平面状反射面より反射された照射光を指針２４の受光面２３ｂの回転軌道に接近して導くための照射部２４−２が文字板２５に突出して形成されているが、該平面状反射面より反射された照射光を受光面２３ｂの回転軌道に導くためのものであればよい。例えば、導光板２４と指針２３の受光面２３ｂが十分接近していたり、また、その部分を透明の文字板とする場合には、照射部２４−２を文字板２５に突出させなくてもよい。
【００１８】
平面反射面２４−１の長さ、幅及び数は、導光板２４の厚み、受光面２３ｂの回転軌道半径、指針２３の指示範囲等に応じて適宜設定される。平面反射面２４−１の傾斜角は、好適には光線方向に４５度有するように形成するのがよいが、これに限定されるものではない。
【００１９】
以上のようにして形成された指針照明装置を計器枠に組み込んで自動車用の計器とする。
【００２０】
本発明の上記構成によれば、１つの光源、即ち、光源２４からの照射光は、導光板２４内を導光し、導光板２４の厚み方向に断面鋸歯状に設けられている各反射面２４−１ａ、２４−１ｂ及び２４−１ｃにより反射され、照射部２４−２から指針２３の受光面２３ｂの回転軌道領域に反射されるため、振れ角の広い指針２３内には指示位置に関係なく常に平均した光量が入光し、回動指示範囲でほとんどむらのない均一な照明がなされる。
【００２１】
【発明の効果】
１つの光源で振れ角の広い、例えば、自動車のスピードメーター、運行記録計等の計器指針を均一に発光させることができる自己発光式の指針照明装置を提供することができるため、計器のコストを低減させることができ、しかも、計器の重量を減少させることができるとともに、計器のスペースを有効に利用することができる。
【図面の簡単な説明】
【図１】本発明の一実施の形態を示す指針照明装置の断面図である。
【図２】導光板の形状を示す平面図である。
【図３】図２のＡ−Ａ線の断面説明図（軸孔部分図示せず）である。
【図４】従来の自発光式の指針照明装置を示し、（ａ）は、その要部断面図説明図であり、（ｂ）は、その反射面の平面図である。
【図５】他の従来の自発光式の指針照明装置の導光板の形状を示す平面図である。
【符号の説明】
２３    指針
２３ｂ  指針受光面
２４    導光板
２４−１ａ、２４−１ｂ、２４−１ｃ  反射面
２４−２  照射部
２５      文字板
２６      貫通孔
２８      光源
【図１】
0003788825.tif 000002
【図２】
0003788825.tif 000003
【図３】
0003788825.tif 000004
【図４】
0003788825.tif 000005
【図５】
0003788825.tif 000006